(57)【要約】【課題】  猪，鹿等の小動物を捕獲する足括り式の小動物捕獲装置について、小動物が警戒心を起こしにくくワイアの絞込み動作に迅速性が保障されるようにする。【解決手段】  獣道等に掘設された踏抜穴Ｈに小動物が踏抜くように水平に設置される踏板１と、踏板１の周囲にループ状に広げられて配置されるワイア２と、ワイア２のループ状の部分を絞込む絞込部材３と、小動物の踏抜きによる踏板１の動作に応動して絞込部材３に絞込みを開始させる応動部材４とを備えている。応動部材４は、先端部に踏板１の下面に当接して踏板１を下支えする小形の受板４ｃが設けられて絞込部材３に起伏可能に支持され下方へ向けて傾倒することで絞込部材３に絞込みを開始させる。【選択図】図１
2011030506.tif 000002
【特許請求の範囲】
【請求項１】
獣道等に掘設された踏抜穴に小動物が踏抜くように水平に設置される踏板と、踏板の周囲にループ状に広げられて配置されるワイアと、ワイアのループ状の部分を絞込む絞込部材と、小動物の踏抜きによる踏板の動作に応動して絞込部材に絞込みを開始させる応動部材とを備え、応動部材は先端部に踏板の下面に当接して踏板を下支えする小形の受板が設けられて絞込部材に起伏可能に支持され下方へ向けて傾倒することで絞込部材に絞込みを開始させることを特徴とする小動物捕獲装置。
【請求項２】
請求項１の小動物捕獲装置において、応動部材は絞込部材から踏板側の反対側に突出されて設けられた支持板に支持されていることを特徴とする小動物捕獲装置。
【請求項３】
請求項１または２の小動物捕獲装置において、踏抜穴に嵌合され内部に踏板を収容する筒形の踏抜穴用筒を備え、踏抜穴用筒は踏板の下面を下支えするピン状物が挿通される第１の挿通孔が穿孔されていることを特徴とする小動物捕獲装置。
【請求項４】
請求項１または２の小動物捕獲装置において、踏抜穴に嵌合され内部に踏板を収容する筒形の踏抜穴用筒を備え、踏抜穴用筒は踏板の上面を下押しするピン状物が挿通される第２の挿通孔が穿孔されていることを特徴とする小動物捕獲装置。
【発明の詳細な説明】
【技術分野】
【０００１】
本発明は、猪，鹿等の小動物を捕獲する足括り式の小動物捕獲装置に係る技術分野に属する。
【背景技術】
【０００２】
最近、山地の荒廃や気候変動等を原因とした小動物の里地への進出が顕著になっている。このため、里地で耕作されている農作物に小動物による食害等の被害が増大し、農業経済に深刻な影響が出始めている。そこで、里地に進出した小動物を駆除する必要性が生じ、各種提供されている小動物捕獲装置を使用した捕獲駆除事業が実施されている。
【０００３】
小動物捕獲装置としては、小動物の足をワイアで縛る足括り式が広範に使用されている。足括り式の小動物捕獲装置は、小動物が踏板を踏むと踏板の周囲にループ状に広げられていたワイアが絞込まれて小動物の足を縛るように構成されるもので、踏板を踏んだ小動物が異常を感知して足を引上げるまでの間に迅速，確実にワイアの絞込み動作が実行されることが要求されるものである。
【０００４】
従来、足括り式の小動物捕獲装置としては、例えば、特許文献１に記載のものが知られている。
【０００５】
特許文献１には、獣道等に掘設された踏抜穴に小動物が踏抜くように水平に設置される踏板と、踏板の周囲にループ状に広げられて配置されるワイアと、ワイアのループ状の部分を絞込む絞込部材と、小動物の踏抜きによる踏板の動作に応動して絞込部材に絞込みを開始させる応動部材とを備え、踏板は小動物の踏抜きによって下方へ向けて傾倒動作され、応動部材は傾倒動作した踏板の下端部に押されて絞込部材に沿ってスライドして降下することで絞込部材に絞込みを開始させる小動物捕獲装置が記載されている。
【０００６】
特許文献１に係る小動物捕獲装置は、踏板，応動部材を複雑に連結せずに踏板を応動部材の上に単に載置させることで、踏板の傾倒動作に対して応動部材が敏感に応動するようにして、迅速，確実にワイアの絞込み動作が実行されるようにするものである。
【先行技術文献】
【特許文献】
【０００７】
【特許文献１】特開平２００７−３７４２３号公報
【発明の概要】
【発明が解決しようとする課題】
【０００８】
特許文献１に係る小動物捕獲装置では、踏板と踏抜穴との間に踏板の傾倒動作を許容するかなりのスペースが確保されることから、スペースから踏板を覆う隠蔽用土砂類（土砂，枯葉等）が落下してしまったり、スペースを通じて空気が流通したりするため、小動物に警戒心を起こさせやすいという問題点がある。また、踏抜穴の周囲に埋設された絞込部材に付着した土砂が障害となって応動部材のスライドが円滑に行われないことがあるため、ワイアの絞込み動作に迅速性が得られないことがあるという問題点がある。
【０００９】
本発明は、このような問題点を考慮してなされたもので、小動物が警戒心を起こしにくくワイアの絞込み動作に迅速性が保障される小動物捕獲装置を提供することを課題とする。
【課題を解決するための手段】
【００１０】
前述の課題を解決するため、本発明に係る小動物捕獲装置は、特許請求の範囲の各請求項に記載の手段を採用する。
【００１１】
即ち、請求項１では、獣道等に掘設された踏抜穴に小動物が踏抜くように水平に設置される踏板と、踏板の周囲にループ状に広げられて配置されるワイアと、ワイアのループ状の部分を絞込む絞込部材と、小動物の踏抜きによる踏板の動作に応動して絞込部材に絞込みを開始させる応動部材とを備え、応動部材は先端部に踏板の下面に当接して踏板を下支えする小形の受板が設けられて絞込部材に起伏可能に支持され下方へ向けて傾倒することで絞込部材に絞込みを開始させることを特徴とする。
【００１２】
この手段では、踏板が下方へ向けて傾倒する応動部材の受板に下支えされて小動物の踏抜きで水平状態のまま降下されるようにすることで、踏板と踏抜穴との間に大きなスペースを確保する必要をなくして、スペースから踏板を覆う隠蔽用土砂類が落下してしまったり、スペースを通じて空気が流通したりするのを避けることができる。また、応動部材が絞込部材に起伏可能に支持されることで、絞込部材に付着した土砂が障害となって応動部材の動作の円滑性が損なわれることがなくなる。
【００１３】
また、請求項２では、請求項１の小動物捕獲装置において、応動部材は絞込部材から踏板側の反対側に突出されて設けられた支持板に支持されていることを特徴とする。
【００１４】
この手段では、応動部材が踏板から離間した位置にある支持板に支持されることで、力点である踏板と支点である応動部材の絞込部材への支持点との長さが充分に確保される。
【００１５】
また、請求項３では、請求項１または２の小動物捕獲装置において、踏抜穴に嵌合され内部に踏板を収容する筒形の踏抜穴用筒を備え、踏抜穴用筒は踏板の下面を下支えするピン状物が挿通される第１の挿通孔が穿孔されていることを特徴とする。
【００１６】
この手段では、踏抜穴用筒の第１の挿通孔にピン状物を挿通することで、応動部材の受板による踏板の下支えが補助され、小動物の踏抜きが踏板の中心から外れても踏板の水平状態のままの降下が確保されて応動部材が確実に動作される。また、踏板の下支えが補助されることで、必要以上に敏感な踏板の動作が回避される。
【００１７】
また、請求項４では、請求項１または２の小動物捕獲装置において、踏抜穴に嵌合され内部に踏板を収容する筒形の踏抜穴用筒を備え、踏抜穴用筒は踏板の上面を下押しするピン状物が挿通される第２の挿通孔が穿孔されていることを特徴とする。
【００１８】
この手段では、踏抜穴用筒の第２の挿通孔にピン状物を挿通することで、応動部材の受板による踏板の下支えを逆方向から下押して踏板を挟込み、小動物の踏抜きが踏板の中心から外れても踏板の水平状態のままの降下が確保されて応動部材が確実に動作される。
【発明の効果】
【００１９】
本発明に係る小動物捕獲装置は、踏板が下方へ向けて傾倒する応動部材の受板に下支えされて小動物の踏抜きで水平状態のまま降下されるようにすることで、踏板と踏抜穴との間に大きなスペースを確保する必要をなくして、スペースから踏板を覆う隠蔽用土砂類が落下してしまったり、スペースを通じて空気が流通したりするのを避けることができるため、小動物が警戒心を起こしにくくすることができる効果がある。また、応動部材が絞込部材に起伏可能に支持されることで、絞込部材に付着した土砂が障害となって応動部材の動作の円滑性が損なわれることがなくなるため、ワイアの絞込み動作に迅速性が保障される効果がある。
【００２０】
さらに、請求項２として、応動部材が踏板から離間した位置にある支持板に支持されることで、力点である踏板と支点である応動部材の絞込部材への支持点との長さが充分に確保される、踏板に対する応動部材の応動性が敏感になるため、ワイアの絞込み動作により迅速性が保障される効果がある。
【００２１】
さらに、請求項３として、踏抜穴用筒の第１の挿通孔にピン状物を挿通することで、応動部材の受板による踏板の下支えが補助され、小動物の踏抜きが踏板の中心から外れても踏板の水平状態のままの降下が確保されて応動部材が確実に動作されるため、ワイアの絞込み動作に確実性が保障される効果がある。また、踏板の下支えが補助されることで、必要以上に敏感な踏板の動作が回避されるため、捕獲対象とされる小動物よりも小型の動物の踏抜きや木実等の落下物で応動部材が動作してしまうのを防止することができる効果がある。
【００２２】
さらに、請求項４として、踏抜穴用筒の第２の挿通孔にピン状物を挿通することで、応動部材の受板による踏板の下支えを逆方向から下押して踏板を挟込み、小動物の踏抜きが踏板の中心から外れても踏板の水平状態のままの降下が確保されて応動部材が確実に動作されるため、ワイアの絞込み動作に確実性が保障される効果がある。
【図面の簡単な説明】
【００２３】
【図１】本発明に係る小動物捕獲装置を実施するための形態の設置作業状態の縦断面図である。
【図２】図１の反対側の縦断面図である。
【図３】図１の平面図である。
【図４】図１の要部の斜視図である。
【図５】図１の他の要部の拡大図である。
【図６】図１のさらに他の要部の斜視図であり、（Ａ），（Ｂ）に異なる操作状態が示されている。
【図７】図５の他動作図である。
【図８】図１の設置完了状態における捕獲動作を示す図である。
【図９】図８の要部の拡大断面図である。
【図１０】図９の分解図である。
【図１１】図８の要部拡大図である。
【図１２】図８に続く動作を示す図である。
【発明を実施するための形態】
【００２４】
以下、本発明に係る小動物捕獲装置を実施するための形態を図面に基づいて説明する。
【００２５】
この形態は、図１〜図３に示すように、踏板１，ワイア２，絞込部材３，応動部材４，安全機構５，踏抜穴用筒６，第１の挿通孔７，第２の挿通孔８，ピン状物９，棒状物１０，ワイア固定部材１１で構成されている。
【００２６】
踏板１は、木材，合成樹材等で円板形に形成されたもので、小動物の踏抜きの際の荷重で湾曲，破損が生じない程度の強度，厚さを有している。なお、踏板１の径については、捕獲対象とする小動物の大きさ，習性等に対応して選択される。
【００２７】
ワイア２は、多数本の金属線が撚合わされたもので、先端部に挿通によりループ状に広げることを可能にする小環状のフック部２ａが設けられ（図３参照）、フック部２ａから少し離れた部分にフック部２ａへの通過が不能な大きさ（ループの最小を規制）の絞ストッパ２ｂが取付けられている。
【００２８】
絞込部材３は、弾圧構造体からなるもので、内部にコイルスプリング３ａが弾圧収容された円筒形のケーシング３ｂの上部にコイルスプリング３ａの弾圧でワイア２に沿って移動する円筒形の可動部３ｃが嵌合されている。コイルスプリング３ａは、金属材で形成され中心にワイア２が挿通されるもので、可動部３ｃを素早くワイア２の絞ストッパ２ｂにまで到達させてループ状に広げられたワイア２を瞬時に絞込むことのできる強力な弾圧力を有している。ケーシング３２は、金属材で形成され下端部でコイルスプリング３ａを受けてワイア２が挿通される有底構造とされたもので、下端部にワイア２を固定するための固定用ネジ３ｄが取付けられ、上端部付近の周面に踏抜穴用筒５に係止される係止用フランジ３ｅが取付けられている。可動部３ｃは、金属材で形成され上端部でコイルスプリング３ａを受けてワイア２が挿通される有天構造とされたもので、ケーシング３ｂに嵌合着脱が可能な軸長の短いキャップ形に形成されている。ケーシング３ｂ，可動部３ｃの内部には、図９，図１０に詳細に示されるように、絞込部材３のセットの際にコイルスプリング３ａを扱いやすくするとともにケーシング３ｂ，可動部３ｃの嵌合を案内するケーシング３ｂ，可動部３ｃを一回り小さくした形状のインナースリーブ３ｆ，３ｇが挿通されている。
【００２９】
応動部材４は、起伏構造体からなるもので、絞込部材３のケーシング３ｂに取付けられた支持板４ａにアーム４ｂが起伏（回転）可能に支持され、アーム４ｂの先端部に受板４ｃが取付けられ、アーム４ｂの中途部に絞込部材３の可動部３ｃに取付けられたロックピン４ｄに係合するロック溝４ｅが設けられている。支持板４ａは、絞込部材３の係止用フランジ３ｅとは逆側に絞込部材３のケーシング３ｂの断面円の接線方向に突出されている。アーム４ｂは、く字形に形成されて支持板４ａに接合され支持板４ａの突出端に支軸４ｆで支持され、絞込部材３のケーシング３ｂには衝突することなくロック溝４ｅが設けられたく字形の角部を上方に向けて支持板４ａとは逆方向へ延びている。受板４ｃは、踏板１よりもかなり小さな円板形に形成され、アーム４ｂの先端部に設けられた軸受４ｇに回転可能に支持されている。ロックピン４ｄは、丸棒形に形成されて支持板４ａ（アーム４ｂ）に対して直交するように絞込部材３の可動部３ｃから突出されている。ロック溝４ｅは、図７に詳細に示されるように、ロックピン４ｄの中心から支軸４ｆを通る直線Ｌよりも外側（離脱側）で少しの面で係合される弧面に形成されている。また、ロック溝４ｅは、図５に詳細に示されるように、ロックピン４ｄの円弧面よりもわずかに大きな円弧面または楕円弧面に形成されて、安全機構５を掛けた際に図７に示した係合部分がわずかに離間するように設定されている。なお、このロックピン４ｄ，ロック溝４ｅの構成に対応して、図５に示した状態を許容するため、図７に示した状態の前述の絞込部材３においてケーシング３ｂ，可動部３ｃの間とインナースリーブ３ｆ，３ｇの間とにスペースＳが形成されるように寸法設定されている（図９参照）。
【００３０】
安全機構５は、螺合構造体からなるもので、絞込部材３のケーシング３ｂに突出して取付けられたネジ孔５ａ付きのフランジ５ｂに絞込部材３の可動部３ｃに突出して取付けられた挿通孔５ｃ付きのフランジ５ｄが相対され、挿通孔５ｃに挿通された安全ピン５ｅがネジ孔５ａにネジ込まれるものとなっている。絞込部材３のケーシング３ｂに取付けられたフランジ５ｂは、Ｌ字形に屈曲されて絞込部材３の可動部３ｃに取付けられたフランジ５ｄの側面に対面されるように可動部３ｃの方向へ延びた回止部５ｆが設けられている。安全ピン５ｅは、金属棒材の下端部にネジ孔５ａに螺合されるネジ部５ｅａが刻設され、上端部に手を掛けることのできる摘部５ｅｂが湾曲加工され、中途部に挿通孔５ｃよりも径の大きなストッパ部５ｅｃが設けられ、挿通孔５ｃに挿通されネジ孔５ａに螺合された状態で絞込部材３の可動部３ｃよりもかなり長く上方へ突出する長さを有している。
【００３１】
踏抜穴用筒６は、合成樹脂材で円筒形に形成されてなるもので、踏板１の径とほぼ同一の内径を有し、上端縁から下方に向けて細幅の切欠部６ａが設けられ、切欠部６ａの下端縁が平坦面の受座６ｂとされている。切欠部６ａは、外部から応動部材４のアーム４ｂの挿入を可能にする。受座６ｂは、絞込部材３の係止用フランジ３ｅが係止される。
【００３２】
第１の挿通孔７は、踏抜穴用筒６に穿孔された孔からなるもので、ピン状物９が挿通される径を有して踏抜穴用筒６の切欠部６ａに対面する位置の上端部付近に１個が配置されている。
【００３３】
第２の挿通孔８は、踏抜穴用筒６に穿孔された孔からなるもので、ピン状物９が挿通される径を有して第１の挿通孔７から離れた位置の上端部付近に放射状に６個が配置されている。第２の挿通孔８の穿孔位置については、第１の挿通孔７よりも踏板１の厚さ分高く設定されている。
【００３４】
ピン状物９は、多少の荷重で破断する材質からなるもので、第１の挿通孔７，第２の挿通孔８に挿通されて踏板１の上下面に当接される長さを有している。このピン状物９については、具体的に爪楊枝が好適である。
【００３５】
棒状物１０は、荷重に対してある程度の可撓性を有する材質からなるもので、踏抜穴用筒６の周囲のループ状に広げられたワイア２の内側の土に突刺されるものである。この棒状物１０については、具体的に竹串が好適である。
【００３６】
ワイア固定部材１１は、針金等からなるもので、踏抜穴用筒６の切欠部６ａ付近の上端部に取付けられワイア２のループ状の部分に絡ませることができる長さを有している。
【００３７】
この形態を設置するには、獣道等に踏抜穴用筒６の全体と絞込部材３等とを収容する踏抜穴Ｈを掘設する。そして、踏抜穴Ｈに踏抜穴用筒６を据付けた後、予め組付けておいたワイア２，絞込部材３，応動部材４，安全機構５を踏抜穴用筒６の内部，外部に設置する。
【００３８】
このとき、ワイア２の絞ストッパ２ｂの位置を調整してワイヤ２の絞込径を調整し、捕獲対象とする小動物よりも小さな動物（例えば、鳥，ウサギ）が足括りされないようにする。そして、ワイア２をループ状に広げてワイア２の絞込部材３への挿通長さを調整して絞込部材３の固定用ネジ３ｄで固定しておき、絞込部材３を踏抜穴用筒６の切欠部６ａに位置させて直立するように土に押込み係止用フランジ３ｅを踏抜穴用筒６の受座６ｂに係止させる。即ち、絞込部材３の係止用フランジ３ｅと踏抜穴用筒６の受座６ｂとは、絞込部材３，踏抜穴用筒６の間の位置決め構造として機能する。
【００３９】
この結果、絞込部材３に組付けられている応動部材４のアーム４ｂが踏抜穴用筒６の内部に延びて受板４ｃが踏抜穴用筒６の内部で水平に支持される。この状態は、応動部材４のロックピン４ｄ，ロック溝４ｅの係合よりも、安全機構５によって維持されているといえる。即ち、安全機構５の安全ピン５ｅのネジ部５ｅａが絞込部材３のケーシング３ｂに取付けられたフランジ５ｂのネジ孔５ａに螺合されストッパ部５ｅｃが絞込部材３の可動部３ｃに取付けられたフランジ５ｄを押圧していることで、絞込部材３のコイルスプリング３ａの弾圧に抗してケーシング３ｂ，可動部３ｃの離脱が阻止されている。
【００４０】
この後、第１の挿通孔７にピン状物９を挿通してから、踏抜穴用筒６の上端口から内部に踏板１を落込む。
【００４１】
この結果、踏板１が応動部材４の受板４ｃと第１の挿通孔７に挿通されたピン状物９とに当接されて下支えされ踏抜穴用筒６の内部の上端近くに支持される。
【００４２】
この後、第２の挿通孔８にピン状物９を挿通する。
【００４３】
この結果、踏板１が応動部材４の受板４ｃと第１の挿通孔７に挿通されたピン状物９とで下支えされた箇所以外で上面が第２の挿通孔８に挿通されたピン状物９によって下押しされ、踏板１のグラ付きが防止されて水平の姿勢が安定化される。
【００４４】
この後、ワイア２のループ状の部分を踏抜穴用筒６の内周側にはみださないようにして外周に沿わせワイア固定部材１１を絡ませて浮上がりを阻止し、ワイア２のループ状の部分と踏抜穴用筒６の間に棒状物１０を２本程度ほぼ垂直に突刺す。
【００４５】
このとき、棒状物１０の突刺す位置をワイア２のループ状の部分の絞込部材３から離れた側に設定する。なお、第１の挿通孔７，第２の挿通孔８に挿通されたピン状物９がワイア２のループ状の部分を下支えして沈込みを阻止することになる。
【００４６】
この後、踏板１を含めて踏抜穴Ｈの開口の全面を土砂，枯葉等の隠蔽用土砂類Ｒで隠蔽し、安全機構５の安全ピン５ｅの摘部５ｅｂを摘んで回動させ安全ピン５ｅをネジ孔５ａ，挿通孔５ｃから引抜くことで設置が完了する。
【００４７】
このとき、安全機構５の安全ピン５ｅが隠蔽用土砂類Ｒよりも上方に長く突出されているため、安全ピン５ｅの回動操作を容易に実施することができる。
【００４８】
なお、安全機構５が取外されると、応動部材４のロックピン４ｄ，ロック溝４ｅが図７に示すように係合して絞込部材３のスペースＳが解消される。このとき、絞込部材３，応動部材４から機械的な係合音が生ずるため、安全機構５の操作確認がなされる。
【００４９】
なお、絞込部材３のケーシング３ｂから外部に延びているワイア２の後端部については、土，枯葉等で隠蔽して付近の立木，岩まで配線して固定しておく。
【００５０】
この形態が設置された状態では、踏板１の径と踏抜穴用筒６の内径とがほぼ一致されて、踏板１と踏抜穴用筒６（踏抜穴Ｈ）との間に特許文献１に係る小動物捕獲装置のような無用のスペースが形成されないため、踏板１を覆う隠蔽用土砂類Ｒが落下してしまったり、スペースを通じて空気が流通したりすることがなくなる。従って、小動物に警戒心を起こしにくくなる。
【００５１】
設置されたこの形態を小動物が踏抜いた際には、踏板１が踏抜穴用筒６の内部で水平状態のまま降下する。
【００５２】
このとき、踏板１に掛かった小動物の荷重が応動部材４の受板４ｃと第１の挿通孔７，第２の挿通孔８に挿通されたピン状物９とによって広範囲，広角度で受けられ、踏板１に掛かる荷重が偏位していても、踏板１の傾倒を阻止して水平状態のままの降下が確保される。そして、踏板１の水平状態のままの降下の動作付勢と同時に、第１の挿通孔７に挿通されたピン状物９が破断して、踏板１の水平状態のままの降下の障害物となる第１の挿通孔７に挿通されたピン状物９が踏抜穴用筒６の内部から消失する。なお、踏板１の下支えが第１の挿通孔７に挿通されたピン状物９によって補助されることで、必要以上に敏感な踏板１の動作が回避されるため、捕獲対象とされる小動物よりも小型の動物の踏抜きや木実等の落下物で応動部材４が動作してしまうのを防止することができる。
【００５３】
降下した踏板１は、応動部材４の受板４ｃを押下げる。押下げられた応動部材４の受板４ｃは、アーム４ｂを介して支軸４ｆを中心として傾倒することになる。
【００５４】
このとき、応動部材４の受板４ｃがアーム４ｂの先端部に設けられた軸受４ｇに回転可能に支持されているため、荷重の偏位等で降下する踏板１にわずかな傾斜が生じたとしても、受板４ｃが回転して傾斜に対応し確実に傾倒する。
【００５５】
応動部材４のアーム４ｂの傾倒は、ロックピン４ｄからのロック溝４ｅの離脱をもたらす。
【００５６】
このとき、支点である応動部材４の支軸４ｆが支持板４ａの突出先端に設けられて力点である受板４ｃとの長さが充分に確保されているため、応動部材４の応動性が敏感になる。また、安全機構５の回止部５ｆが絞込部材３の可動部３ｃに取付けられているフランジ５ｄに当接することで、応動部材４のアーム４ｂの傾倒の応力によって絞込部材３のケーシング３ｂが回動してしまうのを阻止するため、応動部材４のロックピン４ｄからのロック溝４ｅの離脱が確実になされる。
【００５７】
応動部材４のロックピン４ｄ，ロック溝４ｅの離脱は、絞込部材３にワイア２の絞込み動作を開始させる。
【００５８】
即ち、絞込部材３のケーシング３ｂに嵌合された可動部３ｃは、応動部材４のロックピン４ｄ，ロック溝４ｅの離脱でコイルスプリング３ａの弾圧を受けてワイア２に沿って移動する。この移動は、瞬時になされ絞込部材３の可動部３ｃが隠蔽用土砂類Ｒを跳上げて地上に突出し、ワイア２を絞ストッパ２ｂまで絞込んで踏板１を踏抜いた小動物の足を縛ることになる。
【００５９】
踏板１，絞込部材３の動作を中継している応動部材４の動作については、主に踏抜穴用筒６の内部でなされ、特許文献１に係る小動物捕獲装置のスライドのような動作形態とならずに傾倒の動作形態となるため、絞込部材３に土砂が付着していても何等障害になることはない。従って、応動部材４の動作の円滑性が損なわれることがなく、絞込部材３のワイア２の絞込み動作に迅速性が保障される。なお、前述のように応動部材４の応動性が敏感になるように支点，力点の長さを長く設定してあることも、絞込部材３のワイア２の絞込み動作の迅速性の保障に寄与する。
【００６０】
絞込部材３のワイア２の絞込み動作では、図１１に示すように、可動部３ｃによって絞込まれるワイア２のループ状の部分が踏抜穴用筒６の外側に突刺されている棒状物１０によって上方に案内される。即ち、小動物が異常を感知して引上げようとする足に追従するように絞込まれるワイア２のループ状の部分を上昇させ、ワイア２のループ状の部分が単に横移動して足が引上げられた後に空で絞込まれることがないようにする。
【００６１】
また、足にワイア２が縛付けられた小動物が暴れた際には、図１２に示すように、応動部材４が絞込部材３に沿うように傾倒されるため、地面等を引きずられても絞込部材３，応動部材４が損傷することがない。従って、何度も繰返し使用することができる。
【００６２】
小動物が捕獲されずにこの形態を撤収する場合には、隠蔽用土砂類Ｒに安全機構５の安全ピン５ｅを挿通して、安全ピン５ｅの摘部５ｅｂを摘んで回動させネジ部５ｅａをネジ孔５ａに螺合させストッパ部５ｅｃを絞込部材３の可動部３ｃに取付けられているフランジ５ｄに押圧させる。この結果、絞込部材３の可動部３ｃがケーシング３ｂから不測に突出されことがなくなる。従って、踏抜穴Ｈからワイア２，絞込部材３，応動部材４，安全機構５等を安全に取出すことができる。
【００６３】
以上、図示した形態の外に、ピン状物９を踏抜穴用筒６に起伏可能に取付けたものとすることも可能である。
【産業上の利用可能性】
【００６４】
本発明に係る小動物捕獲装置は、踏板１の径や絞込部材３のコイルスプリング３ａの弾圧力を調整することで、かなり小さなものからかなり大きなものまでの広範な小動物を捕獲対象とすることができる。
【符号の説明】
【００６５】
１            踏板
２            ワイア
３            絞込部材
４            応動部材
４ａ          支持板
４ｃ          受板
５            安全機構
６            踏抜穴用筒
７            第１の挿通孔
８            第２の挿通孔
９            ピン状物
１０          棒状物
Ｈ            踏抜穴
【図１】
2011030506.tif 000003
【図２】
2011030506.tif 000004
【図３】
2011030506.tif 000005
【図４】
2011030506.tif 000006
【図５】
2011030506.tif 000007
【図６】
2011030506.tif 000008
【図７】
2011030506.tif 000009
【図８】
2011030506.tif 000010
【図９】
2011030506.tif 000011
【図１０】
2011030506.tif 000012
【図１１】
2011030506.tif 000013
【図１２】
2011030506.tif 000014